(57)【要約】【課題】便座部に座った状態で簡単に肘掛けの高さ調節ができるポータブルトイレの肘掛けを提供する。【解決手段】ポータブルトイレの便器本体部の上面側縁部に着脱可能に取り付けられる肘掛け構造であって、肘掛け（１１ａ，ｂ）は、略水平方向に配置される棒状部材からなる肘当て部（１２ａ，ｂ）と、その肘当て部の裏面側から下方に垂下される支持棒部（１３ａ〜ｄ）と、を有し、肘掛けの支持棒部を本体部（１）の上面縁部に設けた筒状の長穴部内でスライドさせて複数の高さ位置で固定することにより上下方向の高さ調節が可能な高さ調節手段を備え、高さ調節手段の操作部（１４ａ，ｂ）が、肘掛けの肘当て部の裏面部に設けられている。【選択図】　　　　　図１
2004097343.tif 000002
【特許請求の範囲】
【請求項１】
ポータブルトイレの便器本体部の上面側縁部に着脱可能に取り付けられる肘掛け構造であって、
前記肘掛けは、略水平方向に配置される棒状部材からなる肘当て部と、その肘当て部の裏面側から下方に垂下される支持棒部と、を有し、
前記肘掛けの支持棒部を前記本体部の上面縁部に設けた筒状の長穴部内でスライドさせて複数の高さ位置で固定することにより上下方向の高さ調節が可能な高さ調節手段を備え、
該高さ調節手段の操作部が、前記肘掛けの肘当て部の裏面部に設けたことを特徴とするポータブルトイレの肘掛け。
【請求項２】
前記肘掛けを最も低い高さ位置としたときに、前記肘掛けの肘当て部の裏面部と、そこに対向する前記便器本体部上面部との間に、少なくとも手指部が入る程度の隙間が生ずるように構成されていることを特徴とする請求項１に記載のポータブルトイレの肘掛け。
【請求項３】
前記高さ調節手段は、前記肘掛けの肘当て部の上面部が、前記便器本体部の上面に配置された便座部の上面部に対して、ほぼ面一となる高さ位置に調整可能に構成されていることを特徴とする請求項１又は２に記載のポータブルトイレの肘掛け。
【発明の詳細な説明】
【０００１】
【発明の属する技術分野】
本発明は、主に一般室内で使用するポータブルトイレの肘掛けの構造に関するものである。
【０００２】
【従来の技術】
肘掛けの高さ調節が可能な肘掛け付きポータブルトイレは広く利用されているが、従来のポータブルトイレでは、肘掛けの高さ調節を行う手段の操作部は、ポータブルトイレの便器本体部に設けられていた。例えば、特許文献１に記載されている従来のポータブルトイレでは、肘掛けが便器本体部の側面部に取り付けられた固定装置によって固定されており、肘掛けの高さ調節は、便器本体部の側面部にある固定装置を解除して肘掛けを上下方向にスライドさせることによって行っていた。
【０００３】
【特許文献１】
特開平９−１２２０４１号公報
【０００４】
【発明が解決しようとする課題】
上記従来の技術では、肘掛けの高さを調節することは可能であるが、高さ調節手段の操作部（固定装置）が便器本体部側面に取り付けられているため、使用者（用便者）が便座部に座った状態のままで手を伸ばして肘掛けの高さ調節を行うことは困難であった。
【０００５】
なんとか座った状態で肘掛けの高さを調整できたとしても、上記従来の技術では、片方の手で肘掛けを保持し、もう片方の手で操作部（固定装置）を操作しなければならない。つまり、必ず両手での操作が必要であり、片手で簡単に肘掛けの高さ調節を行うことはできなかった。
【０００６】
また、このような肘掛け付きのポータブルトイレは、介護用として用いられることが多い。例えば、従来技術では、ベッドに寝ている患者がポータブルトイレの便座部に座りたいときには、肘掛け部を取り外して、便器本体部をベッドに隣接配置しておき、患者はお尻をベッドから便座部まで滑らせるようにして便座部に座る。
【０００７】
この場合に、ベッドと便器本体部との間に隙間があると、患者が便座部まで移動するのに非常に危険である。よって、患者が安全に便座部へたどり着けるようにするために、便器本体部をベッドに対してなるべく近づける必要がある。さらに、大小便を済ませた患者が再びベッドへ戻る際にも、ベッドとの間に隙間があると同様に非常に危険が伴う。
【０００８】
しかし、上記従来の技術では操作部が便器本体部側面に設けられているため、ベッドにポータブルトイレを近づけようにも操作部が邪魔をして、ベッドとポータブルトイレ側面部とに隙間が生じてしまい非常に危険であった。さらに、肘掛け操作のためにベッドとの間に隙間を生じさせて配置する必要もあった。このため、ポータブルトイレの配置時におけるベッドとの隙間が使用時に危険を伴う問題があった。
【０００９】
また、上記従来の技術では、肘掛けを最も低い位置まで下げると、便器本体部上面部と肘掛け裏面部との間に手指が挟まって怪我をするおそれがあり、大変危険であった。さらに、介護者は患者を片手で支えている場合が多いので、肘掛けの高さを変えようとして両手で操作を行うと、患者の介護が手薄になって危ないという問題も生じていた。
【００１０】
本発明は、斯かる実情に鑑み、片手でも簡単に肘掛けの高さ調節ができるポータブルトイレの肘掛けを提供することを目的とする。さらに、本発明の肘掛けの高さ調節を行う際に、手指が便器本体との間で挟まれる危険のないポータブルトイレの肘掛けを提供することにある。また、ベッドなどに便器本体部を隣接配置する際に、ベッド等と便器本体部との間に隙間の生じないポータブルトイレの肘掛けを提供することも本発明の別の目的である。さらに、本発明は、例えば、ベッドからトイレへの移動が安全で容易に行えるポータブルトイレの肘掛けを提供することを目的としている。
【００１１】
【課題を解決するための手段】
上記目的を達成するために、請求項１に記載の発明では、ポータブルトイレの便器本体部の上面側縁部に着脱可能に取り付けられる肘掛け構造であって、前記肘掛けは、略水平方向に配置される棒状部材からなる肘当て部と、その肘当て部の裏面側から下方に垂下される支持棒部と、を有し、前記肘掛けの支持棒部を前記本体部の上面縁部に設けた筒状の長穴部内でスライドさせて複数の高さ位置で固定することにより上下方向の高さ調節が可能な高さ調節手段を備え、該高さ調節手段の操作部が、前記肘掛けの肘当て部の裏面部に設けたことを特徴とするポータブルトイレの肘掛けを提供する。
【００１２】
本発明における肘掛け構造は、ポータブルトイレの上面側の左右の少なくとも一方側の縁部に着脱可能に取り付けられるものであり、上下方向に高さ調節が可能な高さ調節手段を備えて構成される。肘掛け自体は、実際に肘がおかれる棒状部材からなる肘当て部が略水平方向に保持されるものであって、その裏面側（下面側）から肘当ての支持用の支持棒部が垂下されている。多くは、前後に二本の支持棒部が垂下されており、その支持棒部が本体部に設けられた筒状の長穴部内に挿入されている。なお、本発明において棒状部材は、肘をのせておくことが可能な形状全てを含んだ概念のものである。
【００１３】
そして、高さ調節手段は、本体部の前記長穴内で支持棒部をスライドさせ、複数の高さ位置で固定可能に構成されているものであれば、その構成は特に限定されるものではない。
【００１４】
さらに、本発明の肘掛け構造では、高さ調節手段の操作部が、肘掛けの肘当て部の裏面側（下面側、又は、便器本体部上面に対面する側）に設けられている。この構成により、肘掛けの肘当て部を掴みながら、その裏面側に手指の先を持って行き、操作部を操作しながら肘掛けの高さ変更と、異なる位置での固定を含めた高さの調節が、片手で簡単に行えることとなる。
【００１５】
よって、本発明の肘掛けの高さ調整手段は、便器の使用者が便座に座った状態でも片手で簡単に操作可能であり、さらには、介護者が患者を片手で支えながらでも片手で簡単に操作できる。さらに、裏面側に操作部を設けたことで、便座に座った状態では肘などが触れないので、誤って高さが変わることもない。また、従来は両手で操作しなければならなかったので、便座に座る前に予め高さ調節を行う必要があったが、座ってからでも片手で簡単に調整できるし、座る前にも簡単に調整できる。
【００１６】
また、本発明によれば、高さ調整手段の操作部が肘掛けの肘当て部の裏面部に設けられているから、便器本体部の側面部をベッド等に隣接して配置する場合に、操作部が邪魔になることはない。よって、ベッド等との間に隙間を生じることなく、ぴったりと側面をくっつけてポータブルトイレを配置できるため、ベッド等に寝ている患者（使用者、用便者）がベッドから便座部に安全かつ簡単に移動できる。
【００１７】
さらに、高さ調整手段の操作部を肘掛けの肘当て部の裏面部に設けているが、肘掛けの表面（上面）部や側面部に設けても便座部に座った状態で片手で肘掛けの高さ調節を行うことは実際には可能である。しかし、表面部や側面部に操作部を設けた場合には、肘を乗せたときや、肘や手を動かしたときなどに操作部に当たって肘掛け（高さ調整手段）が誤動作してしまうおそれがあるため、本発明では操作部を肘掛けの肘当て部の裏面（下面）側に設けるようにしている。
【００１８】
また、請求項２に記載の発明では、請求項１に記載のポータブルトイレの肘掛けにおいて、前記肘掛けを最も低い高さ位置としたときに、前記肘掛けの肘当て部の裏面部と、そこに対向する前記便器本体部上面部との間に、少なくとも手指部が入る程度の隙間が生ずるように構成されていることを特徴とするものである。
【００１９】
即ち、本発明では高さ調節手段の操作部を肘掛けの肘当て部の裏面側に設けているため、手指部で操作部を操作しながら肘掛けを最も低い高さ位置に移動させた際に、便器部本体（表面部）と肘掛け（肘当て部の裏面部）との間に隙間がないと、便器本体部と肘掛けとの間に手指部が挟まってしまい、肘掛けの高さ調節の操作が危険である。
【００２０】
そこで、本発明では肘掛けを最も低い高さ位置にしたときに、肘掛けの肘当て部の裏面部側と便器本体部上面との間に少なくとも手指部が入る程度の隙間が生じるようにして構成しているのである。この構成により、肘掛けを最も低い位置まで下げても手指部が挟まれることはなく、安全に肘掛けの高さ調節を行うことができる。
【００２１】
肘掛けと便器本体との間に隙間を確保する構造は、もっとも低い位置まで肘掛けを下げた状態で、手指の厚み程度の隙間が生ずる構成で有れば、何れのものであっても良い。例えば、便器本体部の上面の肘当て部の裏面側に対向する位置に凹部を設けておき、肘掛けを最も低い高さ位置まで下げたときに、この凹部の内部に（凹部底面と肘掛け裏面）との間に手指が納まるようにしておけば、本発明の構成を満たすものとなる。また、肘掛けの肘当て部の裏面部に凹部を設け、その凹部に操作部を取り付けるようにしても便器本体部との間に手指が入る程度の隙間を確保することができるので、このような構成にしても良い。さらに、肘掛けをもっとも下げた位置が、本体部の表面より、手指の厚みより大きな隙間が空く高さ位置となって、それより下がらない構造としても良い。
【００２２】
請求項３に記載の発明は、請求項１又は２に記載のポータブルトイレの肘掛けにおいて、前記高さ調節手段は、前記肘掛けの肘当て部の上面部が、前記便器本体部の上面に配置された便座部の上面部に対して、ほぼ面一となる高さ位置に調整可能に構成されていることを特徴とするものである。
【００２３】
本発明によれば、肘掛けを高さ調節手段によって上下方向に高さ調節する際に、肘掛けの肘当て部の上面部と便器本体部の上面に配置された便座部の上面部とがほぼ面一となる高さ位置に肘掛けを調整することができる。よって、患者（用便者）がベッド等からお尻を滑らせるようにして便座部に移動する際に、肘掛け（肘当て部）の上面部が便座とほぼ面一の高さ位置に調整しておくことで、肘掛けが移動に際して邪魔になることはなく、容易に座ることができる。
【００２４】
しかも、患者が便座部に座った後には、片手で肘掛けの肘当て部の裏面側に設けられた高さ調節手段の操作部を操作して簡単に肘掛けの高さを上下方向に調節できるので、患者が楽な姿勢で大小便を済ませることができるのである。用便後も片手で簡単に肘掛けを便座部上面と面一となる位置まで高さ調節できるので、ベッド等へ戻る動作も楽である。
【００２５】
なお、本発明において、肘掛け上面部と便座部上面部とは、ほぼ面一であれば良い。患者が便座部に座るときに肘掛けが邪魔にならない程度、あるいは、お尻を滑らせて移動するときに滑りやすい程度に面一であれば、容易にベッドなどから便座部へ座ることができるからである。従って、多少肘掛けと便座部とに段差があっても、容易に座れる程度であれば本発明においては面一という概念に含まれる。
【００２６】
また、肘掛けの肘当て部の上面部が便座部の上面部と面一となる高さ位置は、肘掛けの上下方向の移動範囲のうちの任意の位置であれば良い。つまり、本発明においては、肘掛けを最も低い位置にしたときに肘掛けの上面部と便座部の上面部とが面一となるように高さ調節できる構成にしても良いし、面一となる肘掛けの高さ位置からさらに肘掛けを下げることができるように高さ調整可能な構成としても構わない。
【００２７】
尚、肘掛けの肘当て部の上面部と便座部上面部とが面一となる構成としては、例えば、便器本体部において、その上面部で肘掛けが取り付けられる部分を、肘掛けの肘当て部の厚み（高さ）に相当する長さ程度だけ便器本体上面部より低くするようにしておけば、肘掛けを下げたときに肘掛け上面部と便座部上面部とが面一となる。
【００２８】
本発明の別の態様では、請求項１〜３のいずれか１項に記載のポータブルトイレの肘掛けにおいて、前記肘掛けの肘当て部の上面部が、弾力性のあるクッション部材で構成されている。
【００２９】
本発明によれば、肘掛けの肘当て部の上面部がクッション部材で構成されているから、肘をのせたときに柔らかく心地良い。また、肘掛け（肘当て部上面）を便座部の上面部と面一となる高さ位置まで下げて、ベッドなどから患者がお尻を滑らせながら便座に座る際にも、弾力性があるクッション部材がお尻を柔らかく保護できるから、便座への移動が楽であり、お尻を滑らせる際に怪我をする心配もない。
【００３０】
なお、本発明においてクッション部材とは、クッション性を有する部材全てが含まれるものである。例えば、柔らかい樹脂、ウレタンフォーム、スポンジなどを用いれば良い。また、肘掛けの肘当ての上部をなめらかに滑らせることを優先する場合には、表面がなめらかな樹脂で肘当て部の上面を構成すればよい。
【００３１】
【発明の実施の形態】
以下、本発明の一実施形態を図示例と共に説明する。尚、図中、図と同一の符号を付した部分は同一物又は相当物を表わしている。図１及び図２は、本発明の一実施形態に係るポータブルトイレの肘掛け構造を備えたポータブルトイレの全体構成を示しており、便器本体部１と、便器本体部１の内部に設けられた便槽２と、その上部に配置されるＯ型の便座３と、その便座３の上部から便槽２の開口部４を覆うように設けられた折り畳み可能な便器蓋５と、前記便器本体部１の上面後方部から上方に延びる背もたれ部６と、背もたれ部６の前部の位置で、便器本体部１の上面の左右両側部に着脱可能に取り付けられた二つの肘掛け１１ａ，１１ｂとで主に構成されている。
【００３２】
本実施形態に係る肘掛け１１ａは、使用者が肘を載せるための肘当て部１２ａと、この肘当て部１２ａを下方から支える二つの支持棒１３ａ，１３ｂとで構成されている。肘当て部１２ａは、略水平方向に配置される棒状部材からなるものであり、肘当て部１２ａの裏面（下面）側から下方に垂下される支持棒１３ａ，１３ｂ（支持棒部）は、ほぼ垂直方向に延びる円筒状の柱部材である。
【００３３】
肘当て部１２ａの裏面側（便器本体部１と対面する側、又は下面側）には、後述する高さ調節手段１０ａの操作部である操作レバー１４ａが設けられている。そして、この操作レバー１４ａを操作することによって、肘掛け１１ａの高さが変更並びに固定（調節）されるようになっている。さらに、肘当て部１２ａの上面には、直鎖状低密度ポリエチレン（ＬＬＤＰＥ）樹脂製のクッション部材８ａ（図２の斜線部分）が取り付けられている。
【００３４】
肘掛け１１ａの高さ調節を行う高さ調節手段１０ａは、肘掛け１１ａに内蔵されている。この高さ調節手段１０ａについて図３と共に説明する。高さ調節手段１０ａは、肘掛け１１ａの肘当て部１２ａの裏面側に設けられた操作レバー１４ａの操作に連動する腕部材１５ａ，１５ｂと、該腕部材１５ａ，１５ｂと連動する連結棒１６ａ，１６ｂと、該連結部材１６ａ，１６ｂの下端部（図３中の下側）に設けられたテーパ部を有する板片２２ａ，２２ｂと、該板片２２ａ，２２ｂのテーパ部に対応するテーパ部を有する板部材２３ａ，２３ｂと、該板部材２３ａ，２３に設けられた突起１８ａ，１８ｂと、板片２２ａ，２２ｂに内蔵されるバネ１７ａ，１７ｂと、板部材２３ａ，２３ｂに当接するバネ２４ａ，２４ｂとで主に構成されている。
【００３５】
そして、操作レバー１４ａを矢印Ａに移動させ、握り部５０ａを下方から押し上げるように握ると、これに連動して腕部材１５ａ，１５ｂが上下に揺動して連結棒１６ａ，ｂを下方Ｄ方向（又は上方Ｃ方向）へ移動（往復運動）するようになっている。図５を用いてより詳細に説明すると、握り部５０ａは、上方が開口した略矩形箱形状をなしており、その内部には操作レバー１４ａの駆動部材５１ａが格納されており、握り部５０ａの下面から下方へ突出した操作レバー１４ａの水平方向の操作に伴って駆動部材５１ａが水平方向に移動するようになっている。
【００３６】
また、握り部５１ａの上面は蓋部５２ａで覆われると共に、駆動板片５３ａ，ｂが蓋部５２ａに開けられた貫通孔５８ａ，ｂにそれぞれ嵌め込まれている。操作レバー１４ａがロック状態（図５（ａ）の状態）のときには、駆動部材５１ａは駆動バネ５４ａの付勢力で握り部５０ａの内壁部（図５（ａ）の右側内壁部）に当接した状態となっており、この状態で、駆動板片５３ａ，ｂの下端部が駆動部材５１ａの上面に当接している。また、このとき駆動板片５３ａ，ｂの上端部は、図示していないが、肘当て１２ａとも当接した状態となっている。つまり、図５（ａ）の状態のときには、握り部５０ａは駆動板片５３ａ，ｂによって上下方向の移動が規制されているのである。よって、この図５（ａ）のときには、握り部５０ａが上方に移動しないから、肘掛け１１ａの上下方向スライドはされないこととなる。
【００３７】
操作レバー１４ａを矢印Ａ方向で図５（ｂ）に示す位置まで移動させると、駆動板片５３ａ，ｂが駆動部材５１ａの空間部５７ａ，ｂに入り込む。そうすると、握り部５０ａは上方向に移動が可能となり、握り部５０ａの上方向移動に伴って握り部５０ａの両端部５５ａ，ｂに接続された腕部材１５ａ，ｂが上下方向に揺動して、肘掛け１１ａの上下方向の高さ調節ができるのである。なお、操作レバー１４ａは、普段は図５（ａ）の状態（ロック状態）に維持されるように駆動バネ５４ａで付勢されている。
【００３８】
図３に示す状態は、肘掛け１１ａが便器本体部１に取り付けられてある高さ位置に固定されている状態を示しており、肘掛け１１ａの便器本体部１との高さ位置の固定は、板部材２３ａ，２３ｂの下部に設けられた突起１８ａ，１８ｂが便器本体部１の係止穴部（筒状の長穴部の側面位置に形成される、不図示）に嵌め込まれることによって行われている。
【００３９】
この肘掛け１１ａの高さ位置を調節するときには、まず、肘当て部１２ａの裏面側に設けられた操作レバー１４ａを矢印Ａ方向にスライドさせ、握り部５０ａを握って上方に引き上げる。すると、握り部５０ａの動作に連動して腕部材１５ａ，１５ｂはそれぞれ所定の軸（５６ａ，ｂ）を中心に揺動して、連結棒１６ａ，１６ｂを矢印Ｄ方向へ移動させる。連結棒１６ａ，１６ｂの下端部には板片２２ａ，２２ｂが取り付けられているから、連結棒１６ａ，１６ｂの動作に伴って板片２２ａ，２２ｂも矢印Ｄ方向に移動する。
【００４０】
板片２２ａ，２２ｂが矢印Ｄ方向に移動すると、板部材２３ａ，２３ｂがバネ２４ａ，２４ｂの付勢力に抗して板片２２ａ，２２ｂと接するテーパ部に沿って矢印Ｅ方向に移動する。これに連動して、板部材２３ａ，２３ｂの下部に設けられた突起１８ａ，１８ｂが支持棒１３ａ，１３ｂ内部側にへこんで、便器本体部１の係止穴部（不図示）との嵌合状態が解除される。よって、操作レバー１４ａを操作したまま肘当て部１２ａを上側に引き上げてやれば、肘掛け１１ａの高さ調節が行える。
【００４１】
そして、任意のある位置（係止孔部がある位置）まで肘当て部１２ａを引き上げた後に、握り部５０ａを握るのを止めると、図５に示す駆動バネ５４ａの付勢力で矢印Ｂ方向に戻り、腕部材１５ａ，１５ｂが揺動し、これに連動して連結棒１６ａ，１６ｂが矢印Ｃ方向に移動し、バネ２４ａ，２４ｂの付勢力で突起１８ａ，１８ｂを矢印Ｆ方向に押出す。よって、突起１８ａ，１８ｂは便器本体部１の係止穴部（不図示）にしっかりと嵌め込まれ、肘掛け１１ａは所定の高さ位置に調節できる。
【００４２】
また、肘掛け１１ａが所定の高さ位置で固定された状態（図３の状態）では、板片２２ａ，２２ｂに内蔵されたバネ１７ａ，１７ｂの付勢力によって、板片２２ａ，２２ｂは常時矢印Ｃ方向に押圧されているため、突起１８ａ，１８ｂはバネ２４ａ，２４ｂの付勢力によって常時矢印Ｆの向きへ押圧されるようになっており、肘掛け１１ａの高さ位置の固定が確実に維持（ロック）される構成となっている。
【００４３】
なお、肘掛け１１ｂも上述した肘掛け１１ａと同様の構成となっており、上述した高さ調節手段１０ａと同様の高さ調節手段１０ｂが内蔵されているため、肘掛け１１ｂについての説明は省略する。
【００４４】
さらに、肘掛け１１ａ，１１ｂは、図２に示すように、最も低い位置まで下げた状態でも操作レバー１４ａ，１４ｂの操作が行えるようになっている。即ち、本実施形態では、便器本体部１の上面部で肘掛け１１ａ，１１ｂが取り付けられている部分において、肘当て部の裏面部に対向する位置に凹部２０を形成している。このため、肘掛け１１ａ，１１ｂと最も低い位置まで下げた状態における便器本体部１上面との隙間Ｘを、具体的に手指の入る程度としてこの凹部２０で形成し、肘掛けをもっとも下げた位置でも操作レバー１４ａ，１４ｂの操作が行えるようにしてある。さらに、上部からもっとも低い位置まで肘掛けを下げた場合でも、肘掛けの肘当ての裏面と本体部の上面との間が手指の厚みより広いので、ここで手指が挟み込まれる事故を防止できる。なお、本実施形態では、この隙間Ｘを約３０ｍｍとしている。
【００４５】
さらに、本実施形態に係る肘掛け１１ａ，１１ｂは、図２に示すように、最も低い位置まで下げた状態で、肘掛け１１ａ，１１ｂの肘当て部１２ａ，１２ｂの上面部に取り付けられたクッション８ａ，８ｂの上面と便座部３の上面とがほぼ面一となるようになっている。この面一となる構成とするために、本実施形態では便器本体部１の上面部で肘掛け１１ａ，１１ｂが取り付けられた領域を、便座部３よりも低い位置まで掘り下げた形状としている。即ち、便器本体部１の上面側縁部を深さＨだけ掘り下げている。この深さＨは、肘掛け１１ａ，１１ｂの厚さと、肘掛け１１ａ，１１ｂを下げた状態で外部に露出する支持棒１３ａ〜ｄの一部分の長さと、肘当て部の厚み（高さ）とを合計した距離に相当するものである。
【００４６】
このように構成された本実施形態に係る肘掛け付きポータブルトイレの使用態様を図２及び図４と共に説明する。ベッドに寝ている患者がトイレを使用する際には、まず、ポータブルトイレの便器本体部１を図４に示すようにベッド１９の側面に隣接して配置しておく。そして、操作レバー１４ｂを操作して、肘掛け１１ｂを最も低い位置まで下げる。すると、肘掛け１１ｂの上面部と便座部３の上面部とがほぼ面一となるから、ベッド１９に寝ている患者は上半身を起こして、そのままお尻を滑らせるようにして便座部３まで移動して座ればよい。
【００４７】
そして、図２に示すように、患者が便座部３に座った状態では、肘掛け１１ａ，１１ｂの裏面側に設けられた高さ調節手段１０ａ，ｂの操作レバー１４ａ，１４ｂを、片手で操作にして肘掛け１１ａ，１１ｂを上下方向に移動させて高さ調節を行い楽な姿勢で大小便をする。用便後には、片手で再び肘掛け１１ｂの上面部を便座部３と面一となる位置（本実施形態では最も低い位置）に高さ調節して、その上をお尻を滑らせてベッドへ戻る。
【００４８】
このように構成された本実施形態に係るポータブルトイレの肘掛けによれば、操作レバー１４ａ，１４ｂが肘掛け１１ａ，１１ｂの裏面側に設けられているから、例えば、使用者が便座部３に座ったままでも、簡単に片手で肘掛け１１ａ，１１ｂの高さ調節を行うことができる。
【００４９】
さらに、操作レバー１４ａ，１４ｂが肘掛け１１ａ，１１ｂの裏面側に設けられているので、ベッド１９に便器本体１を隣接配置するときに、この操作レバー１４ａ，１４ｂが邪魔になることがない。よって、ベッド１９との間に隙間なく便器本体部１を配置でき、ベッド１９に寝ている患者が便座部３へ安全に移動できる。
【００５０】
また、肘掛け１１ａ，１１ｂを最も低い位置に下げたときでも便器本体部１の上面と肘掛け１１ａ，１１ｂの裏面部との間で手指が挟まることがなく安全である。さらに、肘掛け１１ａ，１１ｂの上面部と便座部３とが面一となる位置に高さ調節が可能であるため、患者がベッド１９から便座部３へ移動するのが簡単である。
【００５１】
加えて、肘掛け１１ａ，１１ｂの上面部にクッション部材８ａ，８ｂが貼り付けられているので便座部３に座って肘掛け１１ａ，１１ｂに肘をのせたときに心地が良い。また、肘掛け１１ａ，１１ｂを便座部３の上面部と面一となる高さ位置に調整して、ベッド１９から便座部３へお尻を滑らせるようにして移動する際にクッション部材８ａ，８ｂによってお尻が保護され怪我をすることもない。
【００５２】
尚、本発明のポータブルトイレの肘掛けは、上述の実施形態にのみ限定されるものではなく、本発明の要旨を逸脱しない範囲内において種々変更を加え得ることは勿論である。例えば、ベッド等の高さに合わせて便器本体部の高さを調節するための機構を便器本体部の底部に設けておくことも有効である。
【００５３】
【発明の効果】
以上、説明したように、本発明に係るポータブルトイレの肘掛けによれば、例えば便座に座ったままでも、片手で簡単に肘掛けの高さを調節できるという優れた効果を奏し得る。さらに、ベッド等に対して隙間なくポータブルトイレを隣接配置できるため、ベッドなどから便座部へも移動が安全である。加えて、肘掛けを下げるときに手指が挟まることがなく安全に使用できる。
【００５４】
また、肘掛けと便座部とが面一となる高さに肘掛けを調整できるから、ベッドなどから便座部への移動が容易となる。しかも、肘掛けにクッション部材が設けられているから、肘をのせたときに心地良い。さらに、ベッドなどから便座部へ移動する際にお尻などが怪我をすることがなく安全である。
【図面の簡単な説明】
【図１】本発明の一実施形態に係る肘掛けを備えたポータブルトイレ全体を示す概略構成図である。
【図２】本発明の一実施形態に係るポータブルトイレの肘掛けの高さ調節を説明するための図である。
【図３】本発明の一実施形態に係るポータブルトイレの肘掛けに備えられる高さ調節手段を説明するための図である。
【図４】本発明の一実施形態に係る肘掛けを備えたポータブルトイレの使用態様を示す図である。
【図５】本発明の一実施形態に係るポータブルトイレの肘掛けに備えられる高さ調節手段の操作部の詳細を説明するための図である。
【符号の説明】
１：便器本体
３：便座部
６：背もたれ部
８ａ，８ｂ：クッション部材
１０ａ，１０ｂ：高さ調節手段
１１ａ，１１ｂ：肘掛け
１２ａ，１２ｂ：肘当て
１３ａ，１３ｂ，１３ｃ，１３ｄ：支持棒
１４ａ，１４ｂ：操作レバー
２０ａ，２０ｂ：凹部
Ｈ：深さ
Ｘ：隙間
【図１】
2004097343.tif 000003
【図２】
2004097343.tif 000004
【図３】
2004097343.tif 000005
【図４】
2004097343.tif 000006
【図５】
2004097343.tif 000007